(57)【要約】  【課題】  現実の使用に際して実用的であって、特に女性の排尿に際して補助できる自動採尿装置を提供すること。  【解決手段】  電源プラグ２４を交流電源のコンセントに挿入し、使用に際して使用者などが車椅子上にクッション３１を載置した状態でこのクッション３１上に座り、運転スイッチ２２Ａ又は２２Ｂを操作してオンする。すると、運転信号を受けたコントローラ２０が吸引ポンプ８に作動信号を送るので、吸引ポンプ８が作動して排気された空気が切り替った三方切替弁３０を介してクッション３１の内部に供給されて膨らまり、使用者の腰部を浮かせることとなる。この状態で、使用者がクッション３１の切除部３２に把手部７を持って尿受け器１を差し込むと共に排尿部位にこの尿受け器１の開口部を当てて排尿する。  【選択図】  図１
2005245844.tif 000002
【特許請求の範囲】
【請求項１】
排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段及びこの吸引手段により吸引された尿を貯留するための貯留手段とが配設された収納容器とを備えたことを特徴とする自動採尿装置。
【請求項２】
排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段と、この吸引手段により吸引された尿を貯留するための貯留手段と、この貯留手段内に貯留された尿の量を検出するための検出手段と、この検出手段により一定量の尿が検出された場合に報知するための報知手段とを備えたことを特徴とする自動採尿装置。
【請求項３】
排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段と、この吸引手段により吸引された尿を貯留するための貯留手段と、この貯留手段内に貯留された尿の量を検出するための検出手段と、この検出手段により一定量の尿が検出された場合に計時を開始するタイマーと、このタイマーが所定時間を計時した場合に前記吸引手段の吸引を停止するように制御する制御手段とを設けたことを特徴とする自動採尿装置。
【請求項４】
排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段と、この吸引手段により吸引された尿を貯留するための使用済みのＰＥＴボトルとを備えたことを特徴とする自動採尿装置。
【請求項５】
少なくとも前記吸引手段と前記貯留手段又はＰＥＴボトルとをキャスタ付きの収納容器内に収納したことを特徴とする請求項２乃至４のいずれかに記載の自動採尿装置。
【請求項６】
前記吸引手段としてポンプを使用し、使用者が座位での排尿の際に供するクッションに前記ポンプの作動時に排気された空気を供給して膨らませることを特徴とする請求項１乃至４のいずれかに記載の自動採尿装置。
【請求項７】
前記クッションは、使用者の座位での排尿の際に前記尿受け器を受けるための切除部が形成されていることを特徴とする請求項６に記載の自動採尿装置。
【請求項８】
前記尿受け器には、尿の逆流を防ぐための逆止弁を設けたことを特徴とする請求項１乃至４のいずれかに記載の自動採尿装置。
【請求項９】
前記尿受け器の尿受け用開口部の外周縁部には柔らかなパッドを取り替え可能に設けたことを特徴とする請求項１乃至４のいずれかに記載の自動採尿装置。
【請求項１０】
前記運転開始手段を前記尿受け器に設けたことを特徴とする請求項１乃至４のいずれかに記載の自動採尿装置。
【発明の詳細な説明】
【技術分野】
【０００１】
本発明は、排尿に際して自動的に採尿する自動採尿装置に関するものである。詳述すると、尿意があって座位のとれる方（車椅子使用者を含む）や、寝た状態でも尿受け器を使用できる方、特に女性の排尿に際して補助できる自動採尿装置に関するものである。
【背景技術】
【０００２】
寝たきりで且つ尿意のある方の排尿を補助する器具としては、従来から尿瓶等の採尿器が用いられている。しかしながら、この種の採尿器は男性が使う際には殆ど問題ないが、女性の場合には尿漏れを引き起こし、使いづらいという問題があった。このため、吸引ポンプの吸引により、女性が尿漏れをすることなく、楽に排尿できる自動採尿器も提案されている（特許文献１参照）。
【特許文献１】実用新案登録第３０６９９６０号公報
【発明の開示】
【発明が解決しようとする課題】
【０００３】
しかし、実用新案登録第３０６９９６０号公報に記載のものでは、現実の使用に際して種々の問題があり、実用的なものとはいえない。即ち、貯尿タンク内の貯尿量のレベルについては、使用者などが直接見なければわからず甚だ面倒であり、持ち運びも大変であり、尿意があって座位のとれる方（車椅子使用者を含む）や、寝た状態でも尿受け器を使用できる方などにとって使用に際して便利なものではなかった。
【０００４】
そこで本発明は、現実の使用に際して実用的であって、特に女性の排尿に際して補助できる自動採尿装置を提供することを目的とする。
【課題を解決するための手段】
【０００５】
このため第１の発明は、排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段及びこの吸引手段により吸引された尿を貯留するための貯留手段とが配設された収納容器とを備えたことを特徴とする。
【０００６】
第２の発明は、排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段と、この吸引手段により吸引された尿を貯留するための貯留手段と、この貯留手段内に貯留された尿の量を検出するための検出手段と、この検出手段により一定量の尿が検出された場合に報知するための報知手段とを備えたことを特徴とする。
【０００７】
第３の発明は、排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段と、この吸引手段により吸引された尿を貯留するための貯留手段と、この貯留手段内に貯留された尿の量を検出するための検出手段と、この検出手段により一定量の尿が検出された場合に計時を開始するタイマーと、このタイマーが所定時間を計時した場合に前記吸引手段の吸引を停止するように制御する制御手段とを設けたことを特徴とする。
【０００８】
第４の発明は、排尿に際して自動的に採尿する自動採尿装置において、運転を開始するための運転開始手段と、女性の排尿部位に開口部を当てて尿を受けるための尿受け器と、前記運転開始手段により作動して前記尿受け器で受けた尿を吸引するための吸引手段と、この吸引手段により吸引された尿を貯留するための使用済みのＰＥＴボトルとを備えたことを特徴とする。
【０００９】
第５の発明は、第２乃至第４の発明において、少なくとも前記吸引手段と前記貯留手段又はＰＥＴボトルとをキャスタ付きの収納容器内に収納したことを特徴とする。
【００１０】
第６の発明は、第１乃至第４の発明において、前記吸引手段としてポンプを使用し、使用者が座位での排尿の際に供するクッションに前記ポンプの作動時に排気された空気を供給して膨らませることを特徴とする。
【００１１】
第７の発明は、第６の発明において、前記クッションは、使用者の座位での排尿の際に前記尿受け器を受けるための切除部が形成されていることを特徴とする。
【００１２】
第８の発明は、第１乃至第４の発明において、前記尿受け器には、尿の逆流を防ぐための逆止弁を設けたことを特徴とする。
【００１３】
第９の発明は、第１乃至第４の発明において、前記尿受け器の尿受け用開口部の外周縁部には柔らかなパッドを取り替え可能に設けたことを特徴とする。
【００１４】
第１０の発明は、第１乃至第４の発明において、前記運転開始手段を前記尿受け器に設けたことを特徴とする。
【発明の効果】
【００１５】
本発明によれば、尿意があって座位のとれる方（車椅子使用者を含む）や、寝た状態でも尿受け器を使用できる方などにとって、現実の使用に際して実用的な自動採尿装置を提供することができる。
【００１６】
特に第１の発明によれば、収納容器に少なくとも吸引手段及び貯留手段を収納したので、邪魔にならない場所に容易に移動ができる共に、吸引手段ばかりか貯留手段を収納容器内に収納しているから、他の人の目に触れることがないから安心して使用できる。
【００１７】
第２の発明によれば、使用者などが貯留手段の満杯状態を、わざわざこの貯留手段を見ること無く容易に把握でき、この貯留手段内の尿の廃棄のタイミングを知ることができる。
【００１８】
第３の発明によれば、使用者の排尿に際して使用中に貯留手段が満杯になっても、直ちに排尿を止める必要もなく、排尿を継続しても尿が漏れることもなく、安心して使用できる。
【００１９】
第４の発明によれば、尿を貯留するために使用済みのＰＥＴボトルを使用するから、特別なる貯留手段を作製することもなく、リサイクルできて環境面からも望まれるものが提供できる。
【００２０】
第５の発明によれば、第２乃至第４の発明の効果に加えて、キャスタを利用して邪魔にならない場所に容易に移動させることができると共に、吸引手段ばかりか貯留手段又はＰＥＴボトルを収納容器内に収納しているから、他の人の目に触れることがないから安心して使用できる。
【００２１】
第６の発明によれば、第１乃至第４の発明の効果に加え、膨らんだクッションに座ることにより使用者の腰部が浮いて座位での排尿に便宜であり、しかも尿を貯留するために吸引するポンプから排気された空気をこのクッションに供給するようにしているから特別なエアー供給源は不要である。
【００２２】
第７の発明によれば、第６の発明の効果に加えて、クッションの切除部に尿受け器を差し込んだ状態で、この尿受け器の開口部を排尿部位に当てて排尿できるから漏れることもなく、確実に安心して排尿できる。
【００２３】
第８の発明によれば、尿受け器の使用の際に尿の逆流を防ぐことができ、尿が漏れて零れ落ちることがなくなる。
【００２４】
第９の発明によれば、尿受け器のパッドが柔らかいので、使用に際して股間に当てても痛みを感ずること無く快適に排尿することができる。
【００２５】
第１０の発明によれば、尿受け器に運転開始手段を設けたから、使用者の当該自動排尿装置の運転操作が手元で行え便利である。
【発明を実施するための最良の形態】
【００２６】
以下本発明の第１の実施形態について説明する。１は女性の排尿部位に概ね長円形状の尿受け用開口部を当てて尿を受けるための尿受け器で、この尿受け器１には尿の逆流を防ぐため機械式の逆止弁２が内蔵されている。図２及び図３に示すように、この尿受け器１の尿受け用開口部を形成する外周縁部には突部３が形成され、また発泡ウレタンゴム製の柔らかなパッド５の全周に亘って同じく断面がＴ字形状の溝４が形成され、尿受け器１の外周縁部の突部３が溝４に嵌合することにより前記パッド５が尿受け器１に取り替え可能に設けられている。また、使用に際しては、使用者の便宜のため把手部７が形成されている。
【００２７】
８は前記尿受け器１で受けた尿を吸引するための吸引手段としての吸引ポンプで、作動時に吸引による負圧により前記逆止弁２を開く。そして、この吸引ポンプ８と前記尿受け器１との間にはポリウレタン樹脂材料で形成されたフレキシブルなチューブ９を介して貯留手段としての蓄尿タンク１０及び脱臭装置１１が夫々配設される。
【００２８】
前記蓄尿タンク１０は前記吸引ポンプ８により吸引された尿を貯留するためのものであり、前記脱臭装置１１は前記吸引ポンプ８により吸引した空気を脱臭するためのものである。この脱臭装置１１は容器内に、例えば活性炭や、活性炭入りフィルターを収納し、特に尿中のアンモニア成分を除去するものである。
【００２９】
図４乃至図８に示すように、１２はキャスタ１３付きの角筒状の収納容器で、遮音材が装填された壁面から構成され、前記吸引ポンプ８、蓄尿タンク１０及び脱臭装置１１などを収納し、その上面開口を把手１９により開閉可能な蓋体１４が回動可能に枢支されている。
【００３０】
前記蓄尿タンク１０の側面部には、このタンク１０内部に連通する透明な塩化ビニル樹脂で作製された筒体部１５が設けられ、この筒体部１５内にはメッキ塗装されたフロート１６が配設されており、蓄尿タンク１０内の尿の量が増加して一定位置まで上昇したフロート１６を収納容器１２内の仕切壁１７に設けられた満杯検出手段としての光電センサー１８が検出すると、満杯を検出したこととなる。
【００３１】
２０は制御装置としてのコントローラで、コード２１を介して運転開始手段としての運転スイッチ２２Ａ、同じくコード２１を介して尿受け器１に設けられた運転スイッチ２２Ｂ、電源コード２３を介して電源プラグ２４、コード２５を介して警報ブザー２６、表示ランプから成る警告表示装置２７及び光電センサー１８、コード２８を介して吸引ポンプ８、三方切替弁３０などが接続されている。
【００３２】
なお、前記運転スイッチ２２Ａ、２２Ｂは、押し釦タイプでもレバータイプでもよく、手動操作によりオン、オフするものであればよい。
【００３３】
従って、前記光電センサー１８から満杯検出信号をコントローラ２０が入力すると、コントローラ２０は収納容器１２の外面に設けられた報知手段としての警報ブザー２６及び警告表示装置２７に警報信号を出力して鳴動及び点灯表示させるように制御すると共に、コントローラ２０はその内部のタイマー（図示せず）に遅延時間（例えば、１５秒間）を計時させ、このタイマーから遅延時間後のタイムアップ信号を受けると吸引ポンプ８に停止信号を出力して作動を停止させるように制御する。なお、前記遅延時間は、排尿を終えるまでの十分な時間であり、蓄尿タンク１０の満杯レベルも余裕を持ったレベルに設定されている。
【００３４】
また、３１は使用者が座位での排尿の際に供するクッションで、使用に際して吸引ポンプ８の作動時に排気された空気が前記三方切替弁３０を介してその内部に供給されて膨らまり、使用者の腰部を浮かせて座位での排尿に便宜である。即ち、前記クッション３１は使用者の座位での排尿の際に差し込まれた前記尿受け器１を受けるための切除部３２が形成されており、膨らむことによりベッド上や車椅子上に載置されたこのクッションに座ることにより使用者の腰部が浮いて座位での排尿に便宜である。
【００３５】
なお、前記運転スイッチ２２Ａ又は２２Ｂの操作により吸引ポンプ８の作動を停止させる場合や前記前記光電センサー１８が満杯を検出して吸引ポンプ８の作動を停止させる場合には、前記三方切替弁３０を切替え作動させて使用者の自重により前記クッション３１内の空気は前記三方切替弁３０及び空気の排気音を消すためのマフラーなどのサイレンサー３３を介して排気される構成である。
【００３６】
以上の構成により、作用について説明する。先ず、電源プラグ２４を交流電源のコンセント（図示せず）に挿入し、使用に際して使用者などがベッド上や車椅子上にクッション３１を載置した状態でこのクッション３１上に座り、運転スイッチ２２Ａ又は２２Ｂを操作してオンする。
【００３７】
すると、運転信号を受けたコントローラ２０が吸引ポンプ８に作動信号を送るので、吸引ポンプ８が作動して排気された空気が切り替った三方切替弁３０を介してクッション３１の内部に供給されて膨らまり、使用者の腰部を浮かせることとなる。この状態で、使用者が前記クッション３１の切除部３２に把手部７を持って尿受け器１を差し込むと共に排尿部位にこの尿受け器１の開口部を当てて排尿する。
【００３８】
この場合、膨らんだクッション３１に座ることにより使用者の腰部が浮いて座位での排尿に便宜であり、しかもクッション３１の切除部３２に尿受け器１を差し込んだ状態でこの尿受け器１の開口部を排尿部位に当てて排尿できるから漏れることもなく、確実に安心して排尿できることとなる。また、尿を貯留するために吸引する吸引ポンプ８から排気された空気をクッション３１に供給するようにしているから特別なエアー供給源は不要である。更に、尿受け器１のパッド５が柔らかいので、使用に際して股間に当てても痛みを感ずること無く快適に排尿することができる。更には、尿受け器１には吸引ポンプ８の作動時に吸引による負圧により開く逆止弁２が設けられているために、使用中に尿が逆流することは防止され、尿が漏れて零れ落ちることがなくなる。
【００３９】
そして、吸引ポンプ８により吸引された尿はチューブ９を介して蓄尿タンク１０に貯留されることとなり、また吸引された空気は脱臭装置１１を介して前述の如くクッション３１に供給されるものであるため悪臭は除去される。
【００４０】
排尿を終えて、前記運転スイッチ２２Ａ又は２２Ｂを操作してオフすると、コントローラ２０は作動停止信号を吸引ポンプ８に送り、停止させると共に三方切替弁３０を切り替える。従って、使用者の自重によりクッション３１内の空気は、三方切替弁３０及びサイレンサー３３を介して収納容器１２外へ排気される。この場合、サイレンサー３３により空気の排気音は消されるから静かである。
【００４１】
そして、使用後は、収納容器１２はキャスタ１３が付いているので、邪魔にならない場所に容易に移動させることができる。また、吸引ポンプ８ばかりか蓄尿タンク１０を収納容器１２内に収納しているから、他の人の目に触れることがないから安心して使用できる。
【００４２】
なお、このような使用を繰り返して、使用中に蓄尿タンク１０内の尿の量が増加して筒体部１５内のフロート１６が一定位置まで上昇すると、このフロート１６を光電センサー１８が検出すると、満杯を検出したこととなる。
【００４３】
従って、前記光電センサー１８から満杯検出信号をコントローラ２０が入力すると、コントローラ２０は警報ブザー２６及び警告表示装置２７に警報信号を出力して鳴動及び点灯表示させるように制御すると共に、コントローラ２０はその内部のタイマー（図示せず）に遅延時間（例えば、１５秒間）を計時させ、このタイマーから遅延時間後のタイムアップ信号を受けると吸引ポンプ８に停止信号を出力して作動を停止させるように制御する。このため、使用者などは、蓄尿タンク１０の満杯状態をわざわざ蓄尿タンク１０を見ること無く容易に把握でき、蓄尿タンク１０内の尿の廃棄のタイミングを知ることができ、また使用者の排尿に際して使用中に蓄尿タンク１０が満杯になっても、直ちに排尿を止める必要もなく、排尿を継続しても尿が漏れることもなく、安心して使用できる。
【００４４】
その後、把手１９を操作して蓋体１４を回動させて開き、コード９、９及びコード２５を外して蓄尿タンク１０を収納容器１２から取出して、蓄尿タンク１０内の尿を廃棄し、元に戻す。
【００４５】
また、使用が頻繁に行われてパッド５が磨耗などして使用できなくなった場合には、パッド５を尿受け器１から取り外し、前記尿受け器１の尿受け用開口部の外縁部の突部３を溝４に嵌合させて新たなパッド５を取り付ける。
【００４６】
次に、図９に基づき第２の実施形態について説明する。この場合、同一符号は同一機能を有するものとし、説明は省略する。尿受け器１にはチューブ９を介して吸引手段としての吸引ブロアー４０が接続され、この吸引ブロアー４０には逆止弁及び通気孔を備えた通気装置４１と、電源供給手段としての乾電池４２と、運転開始手段としての運転スイッチ４３と、アダプタ４４とが設けられている。
【００４７】
４５は使用済みのＰＥＴ（ポリエチレンテレフタレート）ボトルで、これを吸引ブロアー４０により吸引された尿を貯留する貯留手段として使用するものである。従って、前記ＰＥＴボトル４５の口金に螺合して尿が漏れないように、前記アダプタ４４には螺子山が形成されている。
【００４８】
そして、使用者が把手部７を持って排尿部位に尿受け器１の開口部を当てて運転スイッチ４３をオンして排尿すると、吸引ブロアー４０が作動して負圧により通気装置４１の逆止弁が開くと共に空気が通気孔を介して排気されながら、ＰＥＴボトル４５に尿が貯留されることとなる。
【００４９】
この実施形態によれば、尿を貯留するために使用済みのＰＥＴボトル４５を使用するから、特別なる貯留手段を作製することもなく、リサイクルできて環境面からも望まれるものが提供できる。
【００５０】
なお、この実施形態においても、吸引ブロアー４０及びＰＥＴボトル４５を前述した第１の実施形態のような蓋体を備えた収納容器に収納すれば、同様な効果が得られる。しかも、この収納容器にキャスタを設ければ、負担なく移動ができることとなる。
【００５１】
また、運転スイッチ４３を尿受け器１に設けてもよく、この場合には使用者の当該自動排尿装置の運転操作が手元で行え便利である。
【００５２】
更には、使用者が座位での排尿の際に供する第１の実施形態のようなクッションに前記吸引ブロアー４０の作動時に排気された空気を供給して膨らませるようにしてもよい。
【００５３】
また、第１及び第２の実施形態共に、運転開始手段としてリモートコントローラを用いてもよい。
【００５４】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００５５】
【図１】自動採尿装置の概念図である。
【図２】尿受け器の斜視図である。
【図３】尿受け器の縦断面図である。
【図４】収納容器の蓋体を外した状態の自動採尿装置の平面図である。
【図５】図４のＡ−Ａ断面図である。
【図６】図４のＢ−Ｂ断面図である。
【図７】図４のＣ−Ｃ断面図である。
【図８】図４のＤ−Ｄ断面図である。
【図９】一部破断せる第２の実施形態の自動採尿装置を示す図である。
【符号の説明】
【００５６】
１              尿受け器
２              逆止弁
３              突部
４              溝
５              パッド
８              吸引ポンプ
１０            蓄尿タンク
１２            収納容器
１３            キャスタ
１８            光電センサー
２０            コントローラ
２２Ａ、２２Ｂ  運転スイッチ
２６              警報ブザー
２７              警告表示装置
３１            クッション
３２            切除部
４０            吸引ブロアー
４３            運転スイッチ
４５            ＰＥＴボトル
【図１】
2005245844.tif 000003
【図２】
2005245844.tif 000004
【図３】
2005245844.tif 000005
【図４】
2005245844.tif 000006
【図５】
2005245844.tif 000007
【図６】
2005245844.tif 000008
【図７】
2005245844.tif 000009
【図８】
2005245844.tif 000010
【図９】
2005245844.tif 000011